(57)【要約】【課題】  ドア枠の設置面においてドア枠に隣接する内側壁面の柄や質感などを容易に変化させることのできるユニットバス。【解決手段】  ドア枠（１）に取り付けられたドア障子（３）を備えたユニットバス。ドア枠の設置面においてドア枠に隣接して取り付けられた壁枠（２）と、壁枠に取り付けられた壁パネル（５）と、壁パネルよりも内側において壁枠に着脱自在に取り付けられた化粧パネル（４）とを備えている。また、壁パネルと化粧パネルとの間に介在する緩衝部材（６）をさらに備えている。【選択図】  図２
2005200971.tif 000002
【特許請求の範囲】
【請求項１】
ドア枠に取り付けられたドア障子を備えたユニットバスにおいて、
前記ドア枠の設置面において前記ドア枠に隣接して取り付けられた壁枠と、
前記壁枠に取り付けられた壁パネルと、
前記壁パネルよりも内側において前記壁枠に着脱自在に取り付けられた化粧パネルとを備えていることを特徴とするユニットバス。
【請求項２】
前記壁パネルと前記化粧パネルとの間に介在する緩衝部材をさらに備えていることを特徴とする請求項１に記載のユニットバス。
【請求項３】
前記化粧パネルは、前記壁枠の一対の鉛直枠部材に隣接する一対の固定部品と、前記化粧パネルと前記固定部品との間に押し込まれた固定止水用パッキング部材とにより、前記壁枠に着脱自在に取り付けられていることを特徴とする請求項１または２に記載のユニットバス。
【請求項４】
前記化粧パネルは、前記ドア障子の半透明面材とほぼ同じ柄および質感を有することを特徴とする請求項１乃至３のいずれか１項に記載のユニットバス。
【発明の詳細な説明】
【技術分野】
【０００１】
本発明は、ユニットバスに関し、特にドア設置面の壁面部の構造に関するものである。
【背景技術】
【０００２】
一般に、従来のユニットバスでは、図４に示すように、ドア枠４０に取り付けられたドア障子４１の半透明面材４１ａと柄および質感の全く異なる壁パネル４２が用いられている。また、ドア枠４０の設置面においてドア枠４０に隣接する壁パネル４２は、ドア枠４０や他の壁パネルや天井や床などの隣接部材との取合いが複雑であり、容易に交換することのできない構造になっている。
【発明の開示】
【発明が解決しようとする課題】
【０００３】
上述のように、図４に示す従来のユニットバスでは、ドア枠４０に取り付けられたドア障子４１の半透明面材４１ａと、ドア枠４０の設置面においてドア枠４０に隣接する壁パネル４２との間に意匠的な考慮が全く払われていない。その結果、ユニットバスの購入後に、壁パネル４２の意匠をドア障子４１の半透明面材４１ａの意匠に合わせたいと思っても、また半透明面材４１ａの意匠とは無関係に壁パネル４２の意匠を単に変えたいと思っても、壁パネル４２の交換が難しいために実現が困難であるという不都合があった。
【０００４】
本発明は、前述の課題に鑑みてなされたものであり、ドア枠の設置面においてドア枠に隣接する内側壁面の柄や質感などを容易に変化させることのできるユニットバスを提供することを目的とする。
【課題を解決するための手段】
【０００５】
前記課題を解決するために、本発明では、ドア枠に取り付けられたドア障子を備えたユニットバスにおいて、
前記ドア枠の設置面において前記ドア枠に隣接して取り付けられた壁枠と、
前記壁枠に取り付けられた壁パネルと、
前記壁パネルよりも内側において前記壁枠に着脱自在に取り付けられた化粧パネルとを備えていることを特徴とするユニットバスを提供する。
【０００６】
本発明の好ましい態様によれば、前記壁パネルと前記化粧パネルとの間に介在する緩衝部材をさらに備えている。また、前記化粧パネルは、前記壁枠の一対の鉛直枠部材に隣接する一対の固定部品と、前記化粧パネルと前記固定部品との間に押し込まれた固定止水用パッキング部材とにより、前記壁枠に着脱自在に取り付けられていることが好ましい。また、前記化粧パネルは、前記ドア障子の半透明面材とほぼ同じ柄および質感を有することが好ましい。
【発明の効果】
【０００７】
本発明では、ドア枠の設置面において、ドア枠に隣接して壁枠が取り付けられている。そして、この壁枠には壁パネルが外側から取り付けられているとともに、化粧パネルが壁枠に内側から着脱自在に取り付けられている。したがって、壁枠に着脱自在な化粧パネルを交換することにより、ドア枠に隣接する内側壁面（すなわち化粧パネルの表面）の意匠を、ドア枠に取り付けられたドア障子の半透明面材の意匠と容易に合わせることができる。
【０００８】
また、壁枠に着脱自在な化粧パネルを交換することにより、ドア障子の半透明面材の意匠とは無関係に、ドア枠に隣接する内側壁面の意匠を容易に変えることができる。換言すれば、本発明のユニットバスでは、ドア枠の設置面においてドア枠に隣接する内側壁面の柄や質感などを容易に変化させることができる。
【０００９】
なお、本発明では、壁パネルと化粧パネルとの間に緩衝部材を介在させる構成を採用することが好ましい。この構成により、たとえば比較的薄い単一パネルとして形成される化粧パネル自体の面剛性が非常に小さくても、その変形に起因する異常音（カタカタ音など）の発生を良好に抑えることができる。
【００１０】
また、壁枠の一対の鉛直枠部材に隣接する一対の固定部品と、化粧パネルと固定部品との間に押し込まれた固定止水用パッキング部材とにより、化粧パネルを壁枠に着脱自在に取り付ける構成を採用することが好ましい。この場合、比較的簡素な構成にしたがって、化粧パネルを壁枠に着脱自在に取り付けることが可能になり、ひいては化粧パネルの交換作業が容易になる。
【発明を実施するための最良の形態】
【００１１】
本発明の実施形態を、添付図面に基づいて説明する。
図１は、本発明の実施形態にかかるユニットバスの要部構成として、ドア設置面を内側から見た側面図である。また、図２は、ドア設置面においてドア枠に隣接する壁を構成する各部材を概略的に示す図である。また、図３は、ドア枠に隣接する壁を構成する各部材の係合状態を概略的に示す横断面図である。
【００１２】
図１〜図３を参照すると、本実施形態にかかるユニットバスは、ドア枠１の設置面においてドア枠１に隣接して取り付けられる壁枠２を備えている。ドア枠１および壁枠２は、ともに床から天井まで延びる矩形状の形態を有する。ドア枠１には、ドア障子３が取り付けられている。一方、壁枠２には、内側（浴室側）から化粧パネル４が取り付けられ、外側（脱衣室側）から壁パネル５が取り付けられている。
【００１３】
化粧パネル４は、ドア障子３の半透明面材３ａと同様に、たとえば３ｍｍ程度の厚さを有するポリスチレン板により形成され、その表面にボーダー柄などが印刷されている。すなわち、化粧パネル４は、比較的薄い単一パネルの形態を有し、ドア障子３の半透明面材３ａとほぼ同じ柄および質感を有するように形成されている。
【００１４】
壁パネル５は、ドア枠１の設置面以外の３つの壁面を構成する壁パネル（不図示）と同様に、たとえば２０ｍｍ程度の厚さを有する複合パネル（補強合板）により形成されている。壁パネル５と化粧パネル４とは、鉛直方向に細長く延びるパッキン材のような複数の緩衝部材６を当接状態で挟み込むように、壁枠２に対してそれぞれ取り付けられている。
【００１５】
化粧パネル４は、壁枠２の一対の鉛直枠部材２ａに隣接する一対の固定部品７ａおよび７ｂと、化粧パネル４と固定部品７ａおよび７ｂとの間に押し込まれたひも状の固定止水用パッキング部材８とにより、壁枠２に着脱自在に取り付けられている。壁パネル５は、一対の鉛直枠部材２ａから内方へ突出するフランジ２ｂに、たとえばビス９のような締結手段により固定されている。
【００１６】
図３を参照すると、ドア枠１に隣接する壁面部の組立に際して、壁枠２の鉛直枠部材２ａに設けられたフランジ２ｂに外側から壁パネル５を当接させ、ビス９を用いて壁パネル５をフランジ２ｂに、ひいては壁パネル５を壁枠２に取り付ける。次いで、フランジ２ｂにパッキング部材１０を取り付け、壁パネル５との間に複数の緩衝部材６を当接状態で挟み込むように、パッキング部材１０に内側から化粧パネル４を当接させる。
【００１７】
こうして、パッキング部材１０に化粧パネル４を当接させた状態において、壁枠２の一対の鉛直枠部材２ａに一対の固定部品７ａおよび７ｂを隣接させて取り付ける。そして、化粧パネル４と固定部品７ａおよび７ｂとの間にひも状の固定止水用パッキング部材８を押し込むことにより、化粧パネル４を壁枠２に着脱自在に取り付ける。その結果、本実施形態では、固定止水用パッキング部材８および一対の固定部品７ａ，ｂを順次取り外すだけで、化粧パネル４を容易に交換することができる。
【００１８】
以上のように、本実施形態では、ドア枠１の設置面において、ドア枠１に隣接して壁枠２が取り付けられている。そして、壁枠２には壁パネル５が外側から取り付けられているとともに、化粧パネル４が壁枠２に内側から着脱自在に取り付けられている。したがって、固定止水用パッキング部材８および一対の固定部品７ａ，ｂを順次取り外すという簡単な作業を経て化粧パネル４を交換することにより、図１に示すように、ドア枠１に隣接する内側壁面（すなわち化粧パネル４の表面）の柄および質感などを、ドア枠１に取り付けられたドア障子３の半透明面材３ａの柄および質感などと容易に合わせることができる。
【００１９】
また、壁枠２に着脱自在な化粧パネル４を交換することにより、ドア障子３の半透明面材３ａの意匠とは無関係に、ドア枠１に隣接する内側壁面の意匠を容易に変えることができる。具体的には、ドア枠１に隣接する内側壁面の柄および質感などを、ドア枠１の設置面以外の３つの壁面を構成する他の壁パネルの柄および質感などと合わせたり、ドア障子３の半透明面材３ａとも他の壁パネルとも異なる好みに応じた柄および質感などに変化させたりすることができる。すなわち、本実施形態のユニットバスでは、ドア枠の設置面においてドア枠に隣接する内側壁面の柄や質感などを容易に変化させることができる。
【００２０】
また、本実施形態では、壁パネル５と化粧パネル４との間に緩衝部材６を介在させる構成を採用しているので、たとえば比較的薄い単一パネルとして形成される化粧パネル４自体の面剛性が非常に小さくても、その変形に起因する異常音（カタカタ音など）の発生を良好に抑えることができる。
【００２１】
また、本実施形態では、壁枠２の一対の鉛直枠部材２ａに隣接する一対の固定部品７ａ，７ｂと、化粧パネル４と固定部品７ａ，７ｂとの間に押し込まれた固定止水用パッキング部材８とにより、化粧パネル４を壁枠２に着脱自在に取り付けている。その結果、比較的簡素な構成にしたがって、化粧パネル４を壁枠２に着脱自在に取り付けることが可能になり、ひいては化粧パネル４の交換作業が容易になっている。
【００２２】
特に、本実施形態では、様々な柄や質感などの意匠タイプを、単一パネルとしての化粧パネル単位で管理することになるので有利である。これは、複合パネルとしての壁パネルに様々な柄や質感を付与して意匠タイプを壁パネル単位で管理することは一般に困難であるし、また単一パネルとしての化粧パネルの方が複合パネルとしての壁パネルよりもはるかに加工が容易だからである。
【００２３】
なお、本実施形態では、壁枠２の外側面からある程度奥まった位置に壁パネル５を取り付けることにより、壁パネル５の外側に収納スペースを設けることもできる。また、本実施形態では、化粧パネル４と固定部品７ａ，７ｂとの間に固定止水用パッキング部材８を押し込むことにより、化粧パネル４を壁枠２に着脱自在に取り付けている。しかしながら、これに限定されることなく、化粧パネル４を壁枠２に着脱自在に取り付ける構造については様々な変形例が可能である。
【図面の簡単な説明】
【００２４】
【図１】本発明の実施形態にかかるユニットバスの要部構成として、ドア設置面を内側から見た側面図である。
【図２】ドア設置面においてドア枠に隣接する壁を構成する各部材を概略的に示す図である。
【図３】ドア枠に隣接する壁を構成する各部材の係合状態を概略的に示す横断面図である。
【図４】従来のユニットバスの要部構成として、ドア設置面を内側から見た側面図である。
【符号の説明】
【００２５】
１  ドア枠
２  壁枠
３  ドア障子
３ａ  ドア障子の半透明面材
４  化粧パネル
５  壁パネル
６  緩衝部材
７ａ，７ｂ  固定部品
８  固定止水用パッキング部材
９  ビス
１０  パッキング部材
【図１】
2005200971.tif 000003
【図２】
2005200971.tif 000004
【図３】
2005200971.tif 000005
【図４】
2005200971.tif 000006